(57)【要約】【課題】標準のファクシミリ機能を用いて転送先情報を得ることができ、受信エラーが生じたときに転送先の電子メールアドレスにその旨通知することができる中継通信装置を提供する。【解決手段】発信元電話番号、サブアドレス、パスワードなどの特定情報毎に転送先の電子メールアドレスを格納してなる転送先情報テーブル７ａをＲＡＭ７に格納する。主制御部１は所定の通信手順で得られる特定情報を、画像データとともにファクシミリ受信し、転送先情報テーブル７ａを参照して受信した特定情報に対応する転送先を検索し、受信した画像データを検索した転送先に中継転送する。上記受信した際に正常に画像データを受信できなかったとき転送先の電子メールアドレスに対してその旨を電子メールを用いて通知する。【選択図】  図３
2004336611.tif 000002
【特許請求の範囲】
【請求項１】
所定の特定情報毎に転送先を格納してなる転送先情報テーブルを格納する記憶手段と、画像データを、所定の通信手順信号に含まれる特定情報とともに受信し、上記転送先情報テーブルを参照して受信した特定情報に対応する転送先を検索し、受信した画像データを検索した転送先に中継転送する中継転送手段と、上記受信した際に正常に画像データを受信できなかったときに、上記転送先に対してその旨を通知する制御手段とを備えたことを特徴とする中継通信装置。
【請求項２】
上記特定情報は、発信元電話番号を含むことを特徴とする請求項１記載の中継通信装置。
【請求項３】
上記通信手順信号は、ファクシミリ通信手順信号であり、上記特定情報は、当該ファクシミリ通信手順信号に含まれる転送先特定情報及びパスワードのうちの少なくとも一方であることを特徴とする請求項１又は２記載の中継通信装置。
【請求項４】
上記転送先情報テーブルに格納される転送先は、電子メールアドレスであることを特徴とする請求項１乃至３のうちのいずれか１つに記載の中継通信装置。
【請求項５】
上記制御手段は、上記受信した際に正常に画像データを受信できなかったときに、上記転送先の電子メールアドレスに対してその旨を電子メールを用いて通知することを特徴とする請求項４記載の中継通信装置。
【請求項６】
上記制御手段は、上記受信した際に正常に画像データを受信できなかったときに、上記転送先に対してその旨を通知するとともに、受信できた画像データのみを上記転送先に送信することを特徴とする請求項１乃至５のうちのいずれか１つに記載の中継通信装置。
【発明の詳細な説明】
【０００１】
【発明の属する技術分野】
本発明は、例えば電子メールを利用してインターネットを介して画像データを送受信し、受信した画像データを中継転送できるインターネットファクシミリ装置などの中継通信装置に関する。
【０００２】
【従来の技術】
従来、電子メールを利用してインターネットを介して画像データを送受信するインターネットファクシミリ装置を用いたインターネットファクシミリ通信システムが、ＩＴＵ−Ｔ勧告Ｔ．３７において提案されている。このインターネットファクシミリ装置では、画像データを含む電子メールを送信側のメールサーバ装置（ゲートウェイ装置）及びインターネットを介して受信側のメールサーバ装置（ゲートウェイ装置）にＳＭＴＰ方式で送信し、受信側のインターネットファクシミリ装置は、ＰＯＰ３方式で受信側のメールサーバ装置にアクセスして、画像データを含む電子メールを受信して、受信された画像データを画像記録部を用いて印字する。
【０００３】
従来技術のインターネットファクシミリ装置においては、電子メールを利用して画像データをインターネットを介して送信するインターネットファクシミリ機能と、画像データを公衆電話回線を介して送信する通常ファクシミリ機能と、受信した画像データを所定の中継転送先に中継転送する中継転送機能とを備えている。例えば、特許文献１において、画像データを電子メールを用いて中継転送するファクシミリ型電子メール装置（以下、従来例という。）が開示されており、この従来例の装置では、画像データの一部を暗号化し、これに基づいて中継動作を行う。
【０００４】
【特許文献１】
特開平９−１１６７２８号公報。
【０００５】
【発明が解決しようとする課題】
従来例の装置では、送信エラーがあったときにはヘッダ情報に示される発信元アドレスにエラーを通知することが当該特許文献１において開示されているが、この装置ではヘッダ情報から発信元アドレスを抽出するという特別な機能を必要とする。また、転送先にエラーは通知されないので、転送先ではエラーが生じたことはわからないという問題点があった。
【０００６】
本発明の目的は以上の問題点を解決し、従来例のごとく特別な機能を必要とせず、標準の通信機能を用いて転送先情報を特定することができ、受信エラーが生じたときに当該転送先にその旨通知することができる中継通信装置を提供することにある。
【０００７】
【課題を解決するための手段】
本発明に係る中継通信装置は、所定の特定情報毎に転送先を格納してなる転送先情報テーブルを格納する記憶手段と、画像データを、所定の通信手順信号に含まれる特定情報とともに受信し、上記転送先情報テーブルを参照して受信した特定情報に対応する転送先を検索し、受信した画像データを検索した転送先に中継転送する中継転送手段と、上記受信した際に正常に画像データを受信できなかったときに、上記転送先に対してその旨を通知する制御手段とを備えたことを特徴とする。
【０００８】
上記中継通信装置において、上記特定情報は、発信元電話番号を含むことを特徴とする。
【０００９】
また、上記中継通信装置において、上記通信手順信号は、ファクシミリ通信手順信号であり、上記特定情報は、当該ファクシミリ通信手順信号に含まれる転送先特定情報及びパスワードのうちの少なくとも一方であることを特徴とする。
【００１０】
さらに、上記中継通信装置において、上記転送先情報テーブルに格納される転送先は、電子メールアドレスであることを特徴とする。
【００１１】
また、上記中継通信装置において、上記制御手段は、上記受信した際に正常に画像データを受信できなかったときに、上記転送先の電子メールアドレスに対してその旨を電子メールを用いて通知することを特徴とする。
【００１２】
さらに、上記中継通信装置において、上記制御手段は、上記受信した際に正常に画像データを受信できなかったときに、上記転送先に対してその旨を通知するとともに、受信できた画像データのみを上記転送先に送信することを特徴とする。
【００１３】
【発明の実施の形態】
以下、図面を参照して本発明に係る実施形態について説明する。
【００１４】
図１は、本発明に係る実施形態であるインターネットファクシミリ装置２０の構成を示すブロック図である。
【００１５】
図１のインターネットファクシミリ装置２０は、例えばＩＴＵ勧告Ｔ．３７などに従って、電子メールを利用してインターネットを介して画像データを送受信するインターネットファクシミリ機能を有するとともに、下記の特定情報毎に転送先の電子メールアドレスを格納してなる転送先情報テーブル７ａをＲＡＭ７に格納する。
（ａ）発信電話番号通知サービスによる発信電話番号情報、又はファクシミリ手順信号であるＴＳＩ（Ｔｒａｎｓｍｉｔｔｉｎｇ  Ｓｕｂｓｃｒｉｂｅｒ  Ｉｄｅｎｔｉｆｉｃａｔｉｏｎ）信号などに含まれる発信元電話番号。
（ｂ）ファクシミリ手順信号であるサブアドレス信号（ＳＵＢ）に含まれるサブアドレスなどの特定情報。
（ｃ）ファクシミリ手順信号であるＳＥＰ信号に含まれるパスワードなどの特定情報。
ここで、転送先情報テーブル７ａにおいては、これら、発信電話番号と、サブアドレス、パスワードのうちの少なくとも１つに応じて転送先の電子メールアドレスを格納している。
【００１６】
本実施形態において、主制御部１は、発信電話番号通知サービスによる発信電話番号情報又はファクシミリ手順信号に含まれる特定情報を、画像データとともにファクシミリ受信し、上記転送先情報テーブル７ａを参照して受信した特定情報に対応する転送先を検索し、受信した画像データを検索した転送先に中継転送し、ここで、上記受信した際に正常に画像データを受信できなかったとき（受信エラーが生じたときであって、通信回線不良による通信エラーや受信側の装置トラブルなどによる装置エラーを含む。）、上記転送先の電子メールアドレスに対してその旨を電子メールを用いて通知することを特徴としている。
【００１７】
図１において、インターネットファクシミリ装置２０は、従来のＧ３方式等のファクシミリ通信機能及びインターネットファクシミリ機能とを備えるとともに、ＩＴＵ−Ｔ勧告のＶ．３４モードの通信能力を有するハードウエアのＣＯＤＥＣ回路９と、ＩＴＵ−Ｔ勧告のＶ．１７モード以下の通信能力を有するＲＯＭ６内のＣＯＤＥＣプログラム６ａとを備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１８】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１９】
ＲＯＭ６は、当該インターネットファクシミリ装置２０の動作に必要であって主制御部１によって実行される種々のソフトウェアのプログラムを予め格納し、ここで、当該プログラムは、ＩＴＵ−Ｔ勧告のＶ．１７モード、Ｖ．３２、Ｖ．２７ｔｅｒ、Ｖ．２６ｂｉｓなどに基づく通信能力を有し、画像データの符号化及び復号化を行うＣＯＤＥＣプログラム６ａを含むとともに、図３及び図４のファクシミリ受信エラー処理を含む。ＲＡＭ７は、ＳＲＡＭ又はフラッシュメモリ等で構成され、主制御部１のワーキングエリアとして使用されてプログラムの実行時に発生する一時的なデータを記憶する。このＲＡＭ７には、転送先情報テーブル７ａを含む。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２０】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２１】
また、ＬＡＮインターフェース１２は、バス１３を介して主制御部１に接続され、主制御部１をローカルエリアネットワーク（以下、ＬＡＮという。）３０に接続するためにインターフェース回路であって、信号やプロトコルの変換などの公知の処理を実行する。ここで、ＬＡＮ３０には、当該インターネットファクシミリ装置２０のＬＡＮインターフェース１２と、メールサーバ装置３１と、ルータ装置３２と、他のパーソナルコンピュータ（図示せず。）などが接続される。
【００２２】
メールサーバ装置３１はＬＡＮ３０を介してルータ装置３２に接続される。さらに、ルータ装置３２はインターネット４０を介して宛先のメールサーバ装置（図示せず。）に接続される。当該インターネットファクシミリ装置２０から画像データをメール本文等に添付してメール送信するときは、ＳＭＴＰ手順を用いて当該画像データを含む電子メールを、ＬＡＮインターフェース１２及びＬＡＮ３０を介してメールサーバ装置３１に送信し、これに応答して、メールサーバ装置３１は、当該インターネットメールを、ＬＡＮ３０、ルータ装置３２、インターネット４０、及び宛先のメールサーバ装置（図示せず。）を介して送信先のインターネットファクシミリ装置２０にパケット送信する。一方、電子メールをパケット受信するときは、宛先のインターネットファクシミリ装置２０からインターネット４０、ルータ装置３２及びＬＡＮ３０を介してメールサーバ装置３１で電子メールが受信され、当該インターネットファクシミリ装置２０がメールサーバ装置３１に対して所定の周期で周期的にＰＯＰ３手順でアクセスし、受信した電子メールがあるときは、当該電子メールをメールサーバ装置３１からＬＡＮ３０及びＬＡＮインターフェース１２を介して受信する。なお、インターネット４０への回線接続は、専用回線などに限らず、公衆電話回線Ｌを用いたダイヤルアップ接続でもよい。
【００２３】
以上のように構成された本実施形態のインターネットファクシミリ装置２０は、通常のＧ３方式等のファクシミリ通信機能及びインターネットファクシミリ機能に加えて、上述のＣＯＤＥＣ回路９及びＣＯＤＥＣプログラム６ａを有している。ファクシミリ通信機能において、画像読取部２により読み取られたドットイメージデータはファクシミリ通信の規格で定められているＭＨ，ＭＲ，ＭＭＲ等の符号化方式に従ってＲＯＭ６内のＣＯＤＥＣプログラム６ａ又はＣＯＤＥＣ回路９により符号化された後、相手先のファクシミリ装置に送信される一方、逆に相手先のファクシミリ装置から受信した符号化データはＲＯＭ６内のＣＯＤＥＣプログラム６ａ又はＣＯＤＥＣ回路９によりイメージデータに復号化されて画像記録部３からハードコピーとして出力される。なお、画像メモリ８はイメージデータを必要に応じて記憶し、また逆に記憶しているイメージデータを必要に応じて出力する。
【００２４】
図２は  図１のＲＡＭ７内の転送先情報テーブル７ａの一例を示す図である。この転送先情報テーブル７ａのデータは、当該装置２０の管理者が予め操作部５を用いて入力されて設定される。転送先情報テーブル７ａは、図２に示すように、発信元電話番号と、サブアドレス、パスワードのうちの少なくとも１つに応じて転送先の電子メールアドレスを特定できるように構成されており、ここで、以下の５つの転送設定モードを有する。
【００２５】
（Ａ）転送設定モードＡ：発信者電話番号のみで転送先の電子メールアドレスを特定できるモードであって、図３のステップＳ３−Ｓ４で実行される。
（Ｂ）転送設定モードＢ：発信者電話番号とサブアドレスで転送先の電子メールアドレスを特定できるモードであって、図３のステップＳ６−Ｓ７で実行される。
（Ｃ）転送設定モードＣ：発信者電話番号とサブアドレスとパスワードで転送先の電子メールアドレスを特定できるモードであって、図３のステップＳ９−Ｓ１０で実行される。
（Ｄ）転送設定モードＤ：サブアドレスのみで転送先の電子メールアドレスを特定できるモードであって、図４のステップＳ１２−Ｓ１３で実行される。
（Ｅ）転送設定モードＥ：サブアドレスとパスワードで転送先の電子メールアドレスを特定できるモードであって、図４のステップＳＳ１５−Ｓ１６で実行される。
【００２６】
図３及び図４は図１の主制御部１によって実行されるファクシミリ受信エラー処理を示すフローチャートであり、当該処理はファクシミリ通信において受信エラーが発生したときに実行される。
【００２７】
図３のステップＳ１において、まず、ファクシミリ受信エラーが発生したか否かが判断され、ＹＥＳとなったときに、ステップＳ２において発信元電話番号を受信したか否かが判断され、ＹＥＳのときはステップＳ３に進む一方、ＮＯのときは図４のステップＳ１１に進む。次いで、ステップＳ３において受信した発信元電話番号による転送設定モードＡが転送先情報テーブル７ａにおいて設定されているか否かが判断され、ＹＥＳのときはステップＳ４に進む一方、ＮＯのときはステップＳ５に進む。そして、ステップＳ４において、受信した発信元電話番号を転送先情報テーブル７ａを参照して対応する転送先の電子メールアドレスを検索し、検索した転送先の電子メールアドレスに対して、受信した発信元電話番号とエラー情報（受信エラーが発生した旨と、エラー番号などを含み、以下同様である。）を含む電子メールをインターネット４０を介して送信して、ステップＳ１に戻る。
【００２８】
次いで、ステップＳ５においてサブアドレスを受信したか否かが判断され、ＹＥＳのときはステップＳ６に進む一方、ＮＯのときはステップＳ８に進む。ステップＳ６において受信した発信元電話番号とサブアドレスによる転送設定モードＢが転送先情報テーブル７ａにおいて設定されているか否かが判断され、ＹＥＳのときはステップＳ７に進む一方、ＮＯのときはステップＳ１に戻る。そして、ステップＳ７において受信した発信元電話番号及びサブアドレスを転送先情報テーブル７ａを参照して対応する転送先の電子メールアドレスを検索し、検索した転送先の電子メールアドレスに対して、受信した発信元電話番号とエラー情報を含む電子メールをインターネット４０を介して送信して、ステップＳ１に戻る。
【００２９】
次いで、ステップＳ８においてパスワードを受信したか否かが判断され、ＹＥＳのときはステップＳ９に進む一方、ＮＯのときはステップＳ１に戻る。ステップＳ９において受信した発信元電話番号とサブアドレスとパスワードによる転送設定モードＣが転送先情報テーブル７ａにおいて設定されているか否かが判断され、ＹＥＳのときはステップＳ１０に進む一方、ＮＯのときはステップＳ１に戻る。そして、ステップＳ１０において受信した発信元電話番号、サブアドレス及びパスワードを転送先情報テーブル７ａを参照して対応する転送先の電子メールアドレスを検索し、検索した転送先の電子メールアドレスに対して、受信した発信元電話番号とエラー情報を含む電子メールをインターネット４０を介して送信して、ステップＳ１に戻る。
【００３０】
次いで、図４のステップＳ１１においてサブアドレスを受信したか否かが判断され、ＹＥＳのときはステップＳ１２に進む一方、ＮＯのときは図３のステップＳ１に戻る。ステップＳ１２において受信したサブアドレスによる転送設定モードＤが転送先情報テーブル７ａにおいて設定されているか否かが判断され、ＹＥＳのときはステップＳ１３に進む一方、ＮＯのときは図３のステップＳ１に戻る。そして、ステップＳ１３において受信したサブアドレスを転送先情報テーブル７ａを参照して対応する転送先の電子メールアドレスを検索し、検索した転送先の電子メールアドレスに対して、受信したサブアドレスとエラー情報を含む電子メールをインターネット４０を介して送信して、図３のステップＳ１に戻る。
【００３１】
次いで、ステップＳ１４においてサブアドレスを受信したか否かが判断され、ＹＥＳのときはステップＳ１５に進む一方、ＮＯのときは図３のステップＳ１に戻る。ステップＳ１５において受信したサブアドレスとパスワードによる転送設定モードＥが転送先情報テーブル７ａにおいて設定されているか否かが判断され、ＹＥＳのときはステップＳ１６に進む一方、ＮＯのときは図３のステップＳ１に戻る。そして、ステップＳ１６において受信したサブアドレスとパスワードを転送先情報テーブル７ａを参照して対応する転送先の電子メールアドレスを検索し、検索した転送先の電子メールアドレスに対して、受信したサブアドレスとエラー情報を含む電子メールをインターネット４０を介して送信して、図３のステップＳ１に戻る。
【００３２】
以上説明したように、本実施形態によれば、上述の所定の特定情報毎に転送先の電子メールアドレスを格納してなる転送先情報テーブル７ａをＲＡＭ７に格納し、主制御部１は、発信電話番号通知サービスによる発信電話番号情報又はファクシミリ手順信号に含まれる特定情報を、画像データとともにファクシミリ受信し、上記転送先情報テーブル７ａを参照して受信した特定情報に対応する転送先を検索し、受信した画像データを検索した転送先に中継転送し、ここで、上記受信した際に正常に画像データを受信できなかったとき（受信エラーが生じたとき）、上記転送先の電子メールアドレスに対してその旨を電子メールを用いて通知する。従って、従来例のごとく特別な機能を必要とせず、発信電話番号通知サービスやファクシミリ通信手順などの標準の通信機能を用いて転送先情報を特定することができ、受信エラーが生じたときに当該転送先にその旨通知することができる。
【００３３】
＜変形例＞
【００３４】
以上の実施形態においては、インターネットファクシミリ装置２０の例について述べているが、本発明はこれに限らず、公衆電話網又は公衆デジタル回線網などの公衆網もしくはインターネットに接続された、例えばファクシミリ装置、サーバ装置、データ通信装置などを含む中継通信装置に適用することができる。
【００３５】
以上の実施形態においては、ファクシミリ受信した画像データを中継転送しているが、本発明はこれに限らず、所定の通信プロトコルを用いて画像データを受信し、受信した画像データを中継転送してもよい。
【００３６】
以上の実施形態においては、転送先は電子メールアドレスを用いているが、本発明はこれに限らず、公衆電話網などの電話番号などを用いてもよい。
【００３７】
以上の実施形態においては、受信エラー情報を電子メールを用いて転送先に送信しているが、本発明はこれに限らず、受信エラー情報などを含む情報をファクシミリミリの画像データに変換して転送先に対してファクシミリ送信してもよい。また、受信エラー情報を電子メールを用いて転送先に送信するときに、少なくとも受信できた画像データの一部又は全部を転送先に送信してもよい。
【００３８】
【発明の効果】
以上詳述したように本発明に係る中継通信装置によれば、所定の特定情報毎に転送先を格納してなる転送先情報テーブルを格納する記憶手段と、画像データを、所定の通信手順信号に含まれる特定情報とともに受信し、上記転送先情報テーブルを参照して受信した特定情報に対応する転送先を検索し、受信した画像データを検索した転送先に中継転送する中継転送手段と、上記受信した際に正常に画像データを受信できなかったときに、上記転送先に対してその旨を通知する制御手段とを備える。従って、従来例のごとく特別な機能を必要とせず、発信電話番号通知サービスやファクシミリ通信手順などの標準の通信機能を用いて転送先情報を特定することができ、受信エラーが生じたときに当該転送先にその旨通知することができる。
【００３９】
上記中継通信装置において、上記特定情報は、発信元電話番号を含む。従って、特定情報として、発信電話番号通知サービスによって得られる発信元電話番号を用いることができ、受信エラーが生じたときに当該転送先にその旨通知することができる。
【００４０】
また、上記中継通信装置において、上記通信手順信号は、ファクシミリ通信手順信号であり、上記特定情報は、当該ファクシミリ通信手順信号に含まれる転送先特定情報及びパスワードのうちの少なくとも一方である。従って、特定情報として、ファクシミリ通信手順信号に含まれる転送先特定情報及びパスワードを用いることができ、受信エラーが生じたときに当該転送先にその旨通知することができる。
【００４１】
さらに、上記中継通信装置において、上記転送先情報テーブルに格納される転送先は、電子メールアドレスである。従って、受信エラーが生じたときに当該転送先に電子メールアドレスに対してその旨通知することができる。
【００４２】
また、上記中継通信装置において、上記制御手段は、上記受信した際に正常に画像データを受信できなかったときに、上記転送先の電子メールアドレスに対してその旨を電子メールを用いて通知する。従って、受信エラーが生じたときに当該転送先に電子メールアドレスに対して電子メールを用いてその旨通知することができる。
【００４３】
さらに、上記中継通信装置において、上記制御手段は、上記受信した際に正常に画像データを受信できなかったときに、上記転送先に対してその旨を通知するとともに、受信できた画像データのみを上記転送先に送信する。従って、受信エラーが生じたときに当該転送先に電子メールアドレスに対して電子メールを用いてその旨通知するとともに、受信できた画像データを転送先に送信できる。
【図面の簡単な説明】
【図１】本発明に係る実施形態であるインターネットファクシミリ装置２０の構成を示すブロック図である。
【図２】図１のＲＡＭ７内の転送先情報テーブル７ａの一例を示す図である。
【図３】図１の主制御部１によって実行されるファクシミリ受信エラー処理の第１の部分を示すフローチャートである。
【図４】図１の主制御部１によって実行されるファクシミリ受信エラー処理の第２の部分を示すフローチャートである。
【符号の説明】
１…主制御部、
２…画像読取部、
３…画像記録部、
４…表示部、
５…操作部、
６…ＲＯＭ、
６ａ…ＣＯＤＥＣプログラム、
７…ＲＡＭ、
７ａ…転送先情報テーブル、
８…画像メモリ、
９…ＣＯＤＥＣ回路、
１０…ファックスモデム、
１１…ＮＣＵ、
１２…ＬＡＮインターフェース、
１３…バス、
２０…インターネットファクシミリ装置、
３０…ローカルエリアネットワーク（ＬＡＮ）、
３１…メールサーバ装置、
３２…ルータ装置、
４０…インターネット、
Ｌ…公衆電話回線。
【図１】
2004336611.tif 000003
【図２】
2004336611.tif 000004
【図３】
2004336611.tif 000005
【図４】
2004336611.tif 000006